(57)【要約】【課題】  機器を大型化したりせずに、ワイヤレスでＰＤＡなどからの信号を受信する装置を内蔵し、なおかつ、無線信号を安定的に受信するために、金属部材等の影響で無線信号のＳ／Ｎ比の劣化がない構成にしたリヤプロジェクタの提供。【解決手段】  投影光学エンジンと、投影映像を反射するミラーと、投影映像を映すスクリーンと、を有するリヤプロジェクタにおいて、情報端末からの無線信号を受信する装置を、筐体内部に配置したことを特徴とするリヤプロジェクタ。【選択図】        図１
2006208670.tif 000002
【特許請求の範囲】
【請求項１】
投影光学エンジンと、投影映像を反射するミラーと、投影映像を映すスクリーンと、を有するリヤプロジェクタにおいて、
情報端末からの無線信号を受信する装置を、筐体内部に配置したことを特徴とするリヤプロジェクタ。
【請求項２】
前記無線信号を受信する装置を、前記投影映像を映すスクリーンの裏側で、投影映像との干渉のない位置に配置したことを特徴とする請求項１に記載のリヤプロジェクタ。
【発明の詳細な説明】
【技術分野】
【０００１】
本発明は、ワイヤレスでＰＤＡなどからの無線信号を受信する装置を内蔵した、リヤプロジェクタやモニタ装置等に関するものである。
【背景技術】
【０００２】
従来、例えば、下記特許文献１に示される方式のリヤプロジェクタが普及している。
【０００３】
投影光学エンジンから照射された投影映像は、投影光学エンジンの前方に設けられた第１反射ミラーで反射され、第２反射ミラーに照射され、第２反射ミラーで反射された投影映像は、投影映像を映すスクリーンの背面側から照射される構成である。
【０００４】
また、単に無線信号を受信し、映像を投影する機器としては、近年のフロントプロジェクタや無線信号対応型液晶モニタがあり、機器内部に無線信号の受信装置を内蔵したものが普及しはじめているが、これらの機器では、スクリーンは別部材であり、リヤプロジェクタとは構成が異なる。
【０００５】
現在、リヤプロジェクタにおいては、無線信号の受信装置を機器に内蔵する方式はない。
【特許文献１】特開平１１−１６３５４３号公報
【発明の開示】
【発明が解決しようとする課題】
【０００６】
近年、各種電子機器で使用目的に応じて大型化が計られそれらの機器が普及するにつれ、複数の人間で共通の画面を見ながら会議を進める機会が増えており、会議の中で、各人の端末（例えばＰＤＡなど）から情報を
ワイヤレスで送信して会議を効率的に進めたいという要望がある。
【０００７】
しかしながら、ＰＤＡなどからの無線信号を受信する装置を安易に筐体まわりに外付けをしてしまうと、機器の大型化が生じてしまう。
【０００８】
また、無線信号を受信する装置を安易に機器に内蔵すると、金属部材等の影響で無線信号のＳ／Ｎ比の劣化が懸念される。
【０００９】
そこで本発明の課題は、機器を大型化したりせずにリヤプロジェクタやモニタ装置等にワイヤレスでＰＤＡなどからの信号を受信する装置を内蔵し、なおかつ、無線信号を安定的に受信するために、金属部材等の影響で無線信号のＳ／Ｎ比の劣化がない構成にすることである。
【課題を解決するための手段】
【００１０】
上記問題を解決するため、本発明によるワイヤレスでＰＤＡなどからの信号を受信する装置を投影映像を映すスクリーンの裏側で、投影映像との干渉のない位置に配置する構成を採用した。
【００１１】
即ち、次の（１）の構成を備えるものである。
【００１２】
（１）投影光学エンジンと、投影映像を反射するミラーと、投影映像を映すスクリーンと、を有するリヤプロジェクタにおいて、
情報端末からの無線信号を受信する装置を、筐体内部に配置したことを特徴とするリヤプロジェクタ。
【００１３】
このような構成にすれば、リヤプロジェクタやモニタ装置等の機器の大型化を生じることなく無線信号を受信する装置を内蔵することができる。
【００１４】
また、一般にリヤプロジェクタの投影映像を映すスクリーンはフレネルレンズとレンチキュラレンズの積層構造で、いずれも電波を遮蔽しないアクリル等の樹脂成型品により構成されるので無線信号のＳ／Ｎ比の劣化がない。
【発明の効果】
【００１５】
以上の説明から明らかなように、本発明によれば、複数の人間で共通の画面を見ながら、会議をする場合、リヤプロジェクタやモニタ装置等にワイヤレスでＰＤＡなどからの無線信号を受信する装置が内蔵されていることにより各人の端末（例えばＰＤＡなど）から、情報を送信して効率的な会議が行うことが出来る。
【００１６】
しかも、前記ＰＤＡなどからの信号を受信する装置は、スクリーンの裏側で、投影映像との干渉のない位置に配置されているので機器の大型化を伴うこともない。
【００１７】
また、一般にリヤプロジェクタのスクリーンはフレネルレンズとレンチキュラレンズの積層構造で、いずれも電波を遮蔽しないアクリル等の樹脂成型品により構成されるのでスクリーンの近傍に金属部材を使用していたとしても、無線信号は、スクリーン部を通過して、前記無線信号を受信する装置にＳ／Ｎ比の劣化なく到達することが出来る。
【００１８】
これにより、前記無線信号を受信する装置近傍における使用する材料の制約が減り、設計の自由度が向上する。
【発明を実施するための最良の形態】
【００１９】
以下、図を参照して本発明の実施の形態を説明する。
【００２０】
図１は本発明の実施形態のリヤプロジェクタの断面図、図２は同リヤプロジェクタの各構成部品の配置を示す分解斜視図である。
【００２１】
図１，図２において、１１は投影光学エンジン（以下プロジェクタ）であり、赤、緑、青各色用の液晶パネルあるいはＣＲＴ管を内蔵して投影レンズから色光を射出する。
【００２２】
１２は第１反射ミラーで、プロジェクタ１１の前方に設けられている。
１３は第２反射ミラー、１４はスクリーンで、第２反射ミラー１３の前方に配設されている。
【００２３】
プロジェクタ１１の投影レンズから射出された投影像は第１反射ミラー１２及び第２反射ミラー１３を介してスクリーン１４の背面側から投影される。
【００２４】
ワイヤレスでＰＤＡなどからの信号を受信する装置１は、スクリーン１４の裏側で、投影映像の光線２に干渉することなく配置される。
【００２５】
このようにスクリーン１４の裏側に配置することにより機器の大型化を避けることが出来る。
【００２６】
また、一般にリヤプロジェクタのスクリーンはフレネルレンズとレンチキュラレンズの積層構造で、いずれも電波を遮蔽しないアクリル等の樹脂成型品により構成されるのでスクリーンの近傍に金属部材を使用していたとしても、無線信号は、スクリーン部を通過して、前記無線信号を受信する装置１にＳ／Ｎ比の劣化なく到達することが出来る。
【００２７】
また、図１，図２において、１６，１７，１８は、それぞれ例えばＡＢＳ等の難燃性樹脂または、金属部材からなる前カバー、エスカッション部、後カバーである。特に、エスカッション部１７が金属部材の場合、無線信号を受信する装置１を、スクリーン１４の裏側に配置することは、前述のように無線信号を安定的に受信する上で有利である。
【００２８】
エスカッション部１７は、スクリーン１４を保持し、上板１５ｂの正面側端面と側板１５ｄ，１５ｅの上部の正面側の端面を覆う様に配置される。
【００２９】
後カバー１８は、天板１５ａと上板１５ｂの背面側端面、及び側板１５ｄ，１５ｅの上部の背面側端面を覆うように配置される。
【００３０】
また、１９は金属からなる背面カバーであり、下板１５ｃの背面側端面、及び側板１５ｄ，１５ｅの下部の背面側端面を覆うように配置される。
【００３１】
また、斜線部で示す１５はリヤプロジェクタの筐体の本体である。筐体の本体１５は、図２に示すように、天板１５ａ，上板１５ｂ，下板１５ｃを左右の側板１５ｄ，１５ｅにより水平に支持した構造で前後が開放された直方体形状に形成されている。
【００３２】
また、図２において、２０はプロジェクタ１１をコントロールするためのメイン基板や電源回路を搭載した電装ユニットである。
【００３３】
ところで、天板１５ａは、第１反射ミラー１２と第２反射ミラー１３との間の光路を横切って配置されているが、プロジェクタ１１からの投影映像を通すために開口部Ａが形成されている。
【００３４】
この開口部Ａにおいて天板１５ａの端面を覆うように縁取り部材２１が設けられている。
【図面の簡単な説明】
【００３５】
【図１】本発明の実施形態を備えたリヤプロジェクタの断面図である。
【図２】同リヤプロジェクタの各構成部品の配置を示す分解斜視図である。
【符号の説明】
【００３６】
１１  投影光学エンジン（プロジェクタ）
１２  第１反射ミラー
１３  第２反射ミラー
１４  スクリーン
１５  筐体の本体
１５ａ  天板
１５ｂ  上板
１５ｃ  下板
１５ｄ  側板
１５ｅ  側板
１６  前カバー
１７  エスカッション部
１８  後カバー
１９  背面カバー
２０  電装ユニット
２１  縁取り部材
【図１】
2006208670.tif 000003
【図２】
2006208670.tif 000004